【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
元に戻せるように外れ可能な魚信インジケーターであって、
浮力のある本体部分を有し、この本体部分は、外面と、第１の本体端部と、第２の本体端部と、第１の本体端部と第２の本体端部との間の軸線方向チャネルと、を有し、前記軸線方向チャネルは、第１の本体端部の端面の開口と第２の本体端部の端面の開口を有すると共に、操作中、前記軸線方向チャネルを貫く釣り糸の摺動可能な通行を十分可能にし、
更に、糸保持部材と、本体部分の外面の周囲に配置された糸保持部材用の座と、を有し、
前記糸保持部材用の座は、前記糸保持部材を元に戻せるように受入れ可能であり且つ保持可能であり、前記糸保持部材は、前記糸保持部材用の座と共に、前記２つの開口の間を通行する釣り糸を２箇所で保持するように作用し、
釣り糸に十分な張力が働くとき、前記糸保持部材は、釣り糸の作用により前記糸保持用部材の座から外れ可能であり、それにより、前記魚信インジケーターを外して、釣り糸の上で摺動できるようにする、魚信インジケーター。
【請求項２】
前記糸保持部材用の座は、前記第１の本体端部の端面の開口及び前記第２の本体端部の端面の開口が前記糸保持部材用の座の両側に配置されるように、前記軸線方向チャネルの軸線を取囲む、請求項１に記載の魚信インジケーター。
【請求項３】
前記糸保持部材用の座は、連続の溝又は非連続の溝である、請求項２に記載の魚信インジケーター。
【請求項４】
前記糸保持部材用の座は、前記本体部分の外面から少なくともある程度突出した連続の隆起部又は非連続の隆起部である、請求項２に記載の魚信インジケーター。
【請求項５】
前記本体チャネルの軸線は、前記糸保持部材用の座によって定められる平面と９０度よりも小さい角度で交差する、請求項１に記載の魚信インジケーター。
【請求項６】
前記第１の本体端部又は前記第２の本体端部のところにおける前記本体チャネルの軸線と、前記糸保持部材用の座によって定められる平面との間の角度は、約３０度よりも小さく約２度よりも大きい、又は、約２０度よりも小さく約５度よりも大きい、又は、約１５度よりも小さく約７度より大きい、請求項１に記載の魚信インジケーター。
【請求項７】
前記第１本体端面の開口及び前記第２の本体端面の開口から前記糸保持部材用の座までの最短距離は、両方向において同じ又は実質的に同じである、請求項１に記載の魚信インジケーター。
【請求項８】
前記糸保持部材は、前記糸保持部材用の座から少なくともある程度突出する、請求項１に記載の魚信インジケーター。
【請求項９】
前記糸保持部材は、その断面の幅の約２分の１を超えない距離まで、前記糸保持部材用の座によって受入れられる、請求項１に記載の魚信インジケーター。
【請求項１０】
前記糸保持部材は、前記糸保持部材用の座によって保持されている間、引張り弾性応力下にある、請求項１に記載の魚信インジケーター。
【請求項１１】
前記糸保持部材は、環状の弾性バンドの形態をなし、又は、Ｏリングである、請求項１０に記載の魚信インジケーター。
【請求項１２】
前記糸保持部材用の座は、前記本体表面の周囲において連続している、請求項１に記載の魚信インジケーター。
【請求項１３】
前記本体は、実質的に卵形又は楕円形であり、前記糸保持部材用の座は、実質的に楕円形又は円形である、請求項１に記載の魚信インジケーター。
【請求項１４】
更に、前記本体のチャネルの中を延びる釣り糸、鉤素、又はティペット部分を有し、釣り糸、鉤素、又はティペット部分は、前記糸保持部材用の座と前記糸保持部材によって、前記糸に沿った２箇所で前記本体に元に戻せるように取付けられ、
操作中、十分な張力を前記糸に適用したとき、前記糸保持部材は、前記糸保持部材用の座から移動可能であり、それにより、前記糸に沿って摺動可能に前記本体を取外す、請求項１に記載の魚信インジケーター。
【請求項１５】
更に、前記本体のチャネルの中を延びる釣り糸、鉤素、又はティペット部分を有し、釣り糸、鉤素、又はティペット部分は、両端部の開口のところで現れた後、そこから反対方向に前記糸保持部材と前記糸保持部材用の座との間を進み、
前記魚信インジケーターは、糸に沿った２箇所において元に戻せるように保持され、
操作中、十分な張力を前記糸に適用したとき、前記糸保持部材は、前記糸保持部材用の座から移動可能であり、それにより、前記糸に沿って摺動可能に前記本体を取外す、請求項２に記載の魚信インジケーター。
【請求項１６】
請求項１〜１５の何れか１項に記載の魚信インジケーターと、
釣り糸に取付け可能な少なくとも１つの糸停止部材と、を有し、
前記糸停止部材は、外面と、第１の停止部材端部と、第２の停止部材端部と、第１の停止部材端部と第２の停止部材端部との間の軸線方向停止部材チャネルと、を有し、前記停止部材チャネルは、第１の停止部材端面の開口及び第２の停止部材端面の開口を有し、
前記糸停止部材は、前記本体の軸線方向チャネルに元に戻せるように受入れられ、前記本体のチャネル内の前記糸停止部材に元に戻せるように係合するように作用する、魚信インジケーターシステム。
【請求項１７】
更に、前記本体の両側の端部のところで受入れ可能な２つの糸停止部材を含む、請求項１６に記載の魚信インジケーターシステム。
【請求項１８】
前記糸保持部材用の座の深さは、前記本体端部又はその近くにおいて、前記本体の中心又はその近くよりも大きい、請求項１〜１５の何れか１項に記載の魚信インジケーター。
【請求項１９】
前記糸保持部材用の座の深さは、前記本体端部又はその近くで比較的大きく、前記本体中又はその近くにおける比較的浅い深さまでテーパする、請求項１〜１５の何れか１項に記載の魚信インジケーター。
【請求項２０】
前記本体部分のチャネルの軸線は、前記本体部分の真の中心軸線と一致する、請求項１〜１５の何れか１項に記載の魚信インジケーター。
【請求項２１】
前記本体部分のチャネルの軸線は、前記本体部分の真の中心軸線と一致しない、請求項１〜１５の何れか１項に記載の魚信インジケーター。
【請求項２２】
前記本体部分のチャネルの軸線は、前記本体部分の真の中心軸に対して、少なくとも１つのチャネル端部でオフセットされ且つ／又は角度をなすようにオフセットされる、請求項１〜１５の何れか１項に記載の魚信インジケーター。
【請求項２３】
元に戻せるように外れ可能な糸停止部材であって、
細長い糸留め部材を有し、この糸留め部材は、その一方の端部に、少なくとも一対の糸留めアームを有し、その他方の端部に、カラー取付け保持部分を有し、前記糸留めアームは各々、カラー停止フランジを有し、前記カラー取付け保持部分は、間隔のあいた複数のカラー取付け保持アームを有し、前記カラー取付け保持アームの各々は、保持アームカラー停止フランジを有し、前記細長い糸留め部材は、長手軸線方向のボア又はチャネルを有し、このボア又はチャネルは、その中を通る糸の摺動可能な通行を可能にするのに適し、
円筒形の係合カラーを有し、この係合カラーは、それを貫通するカラーチャネルを有し、前記糸留め部材に沿って摺動可能に位置決め可能であり、前記係合カラーは、前記糸留めアームとの作用により、前記糸留め部材を糸留め位置又は糸係合位置で元に戻せるように保持して糸に係合させるように位置決め可能であると共に、前記糸留め部材を前記糸留め位置から操作上及び元に戻せるように外して糸を元に戻せるように外す糸取外し位置で位置決め可能であり、
前記少なくとも一対の糸留めアームと前記カラー取付け保持部分との間に配置される係合カラー位置決め部分を有し、前記係合カラー位置決め部分は、前記係合カラーを前記糸留め部材の上に元に戻せるように位置決めする手段を有し、前記係合カラーは、それが前記糸留めアームと作動的に結合しているときに前記糸係合位置に位置決めされ、前記係合カラーが前記糸留めアームと作動的に結合することが妨げられるときに前記糸外れ位置に位置決めされる、糸停止部材。
【請求項２４】
前記係合カラー位置決め部分は、圧縮可能な部分を有し、この圧縮可能部分は、非圧縮状態において、前記係合カラーチャネルの直径よりも大きい外径を有し、それにより、前記係合カラー位置決め部分は、前記カラーを前記糸係合位置と前記糸外れ位置の間に再配置するために圧縮されなければならない、請求項２３に記載の糸停止部材。
【請求項２５】
前記糸取付け部分と前記糸取外し部分の間で、前記係合カラー位置決め部分は、前記係合カラーチャネル内に位置するねじ山手段と相補的なねじ山手段を有し、それにより、前記係合カラー位置決め部分は、前記係合カラーを前記係合カラー位置決め部分の上で前記糸係合位置と前記糸外れ位置との間でねじ込むことによって、係合させられなければならない、請求項２３に記載の糸停止部材。
【請求項２６】
前記少なくとも１つの糸停止部材は、請求項２３〜２５の何れか１項に記載のものである、請求項１６に記載の魚信インジケーターシステム。